(57)【要約】  【課題】  発光素子を光源とする車両用照明灯具において、鮮明なカットオフラインを有する配光パターンを形成可能とする。  【解決手段】  灯具前後方向に延びる光軸Ａｘ上に投影レンズ１４を配置し、その後方側に発光素子１２を配置する。この発光素子１２は、光軸Ａｘ上における投影レンズ１４の後側焦点Ｆの後方近傍に配置された発光チップ２２と、この発光チップ２２をこれと所定間隔をおいて前方側から覆う透光カバー２６と、この透光カバー２６の下部領域に形成された遮光膜２８とを備えた構成とする。その際、透光カバー２６は、後側焦点Ｆにおいて光軸Ａｘと交差するように配置し、遮光膜２８は、その上端縁２８ａが後側焦点Ｆを通るように形成する。これにより、投影レンズ１４の後側焦点面上に形成される光源像が、従来のように発光チップを封止する略半球状の封止樹脂部材の凸レンズ作用によって拡大されてしまうのを未然に防止する。  【選択図】          図１
2006127819.tif 000002
【特許請求の範囲】
【請求項１】
灯具前後方向に延びる光軸上に配置された投影レンズと、この投影レンズの後方側に配置された発光素子と、を備えてなる車両用照明灯具において、
上記発光素子が、上記光軸上における上記投影レンズの後側焦点の後方近傍に配置された発光チップと、この発光チップを該発光チップと所定間隔をおいて前方側から覆う透光カバーと、この透光カバーの下部領域に形成された遮光膜とを備えてなり、
上記透光カバーが、上記後側焦点において上記光軸と交差するように配置されており、
上記遮光膜が、該遮光膜の上端縁が上記後側焦点を通るように形成されている、ことを特徴とする車両用照明灯具。
【請求項２】
上記透光カバーが、上記後側焦点において上記光軸と略直交する平面部を有している、ことを特徴とする請求項１記載の車両用照明灯具。
【請求項３】
上記発光チップが、該発光チップの発光中心を上記光軸よりも上方へ変位させるようにして配置されている、ことを特徴とする請求項１または２記載の車両用照明灯具。
【発明の詳細な説明】
【技術分野】
【０００１】
本願発明は、発光ダイオード等の発光素子を光源とする車両用照明灯具に関するものである。
【背景技術】
【０００２】
近年、ヘッドランプ等の車両用照明灯具においても、発光ダイオード等の発光素子を光源とするものが開発されてきている。
【０００３】
その際「特許文献１」には、灯具前後方向に延びる光軸上に投影レンズが配置されるとともに、この投影レンズの後方側に発光素子が配置された車両用照明灯具が記載されている。
【０００４】
この「特許文献１」に記載された車両用照明灯具においては、発光素子が光軸上における投影レンズの後側焦点の後方近傍に配置されており、この発光素子の前方近傍には、該発光素子からの光を遮蔽するためのシェードが、その上端縁を投影レンズの後側焦点を通すようにして配置されている。そして、この車両用照明灯具においては、発光素子からの光を投影レンズを介して前方へ照射することにより、その後側焦点面上に形成される光源像の反転投影像としての配光パターンを形成するようになっており、その際、シェードの上端縁の反転投影像としてのカットオフラインも形成するようになっている。
【０００５】
【特許文献１】特開２００４−９５４８０号公報
【発明の開示】
【発明が解決しようとする課題】
【０００６】
しかしながら、上記「特許文献１」に記載された車両用照明灯具の発光素子は、その発光チップが略半球状の封止樹脂部材によって封止された構成となっているので、発光素子からの光により投影レンズの後側焦点面上に形成される光源像は、封止樹脂部材の凸レンズ作用により拡大されてしまい、このため鮮明なカットオフラインを有する配光パターンを形成することができない、という問題がある。
【０００７】
本願発明は、このような事情に鑑みてなされたものであって、発光素子を光源とする車両用照明灯具において、鮮明なカットオフラインを有する配光パターンを形成することができる車両用照明灯具を提供することを目的とするものである。
【課題を解決するための手段】
【０００８】
本願発明は、発光素子として、従来のような封止樹脂部材の代わりに、発光チップを所定間隔をおいて前方側から覆う透光カバーを備えた構成とし、この透光カバーに所定の遮光膜を形成することにより、上記目的達成を図るようにしたものである。
【０００９】
すなわち、本願発明に係る車両用照明灯具は、
灯具前後方向に延びる光軸上に配置された投影レンズと、この投影レンズの後方側に配置された発光素子と、を備えてなる車両用照明灯具において、
上記発光素子が、上記光軸上における上記投影レンズの後側焦点の後方近傍に配置された発光チップと、この発光チップを該発光チップと所定間隔をおいて前方側から覆う透光カバーと、この透光カバーの下部領域に形成された遮光膜とを備えてなり、
上記透光カバーが、上記後側焦点において上記光軸と交差するように配置されており、
上記遮光膜が、該遮光膜の上端縁が上記後側焦点を通るように形成されている、ことを特徴とするものである。
【００１０】
上記「車両用照明灯具」の種類は特に限定されるものではなく、例えば、ヘッドランプ、フォグランプ、コーナリングランプ、デイタイムランニングランプ等、あるいはその一部を構成する灯具ユニット等が採用可能である。
【００１１】
上記「発光素子」とは、略点状に発光する発光チップを有する素子状の光源を意味するものであって、その種類は特に限定されるものではなく、例えば、発光ダイオードやレーザダイオード等が採用可能である。
【００１２】
上記「透光カバー」は、発光チップを該発光チップと所定間隔をおいて前方側から覆うとともに、投影レンズの後側焦点において光軸と交差するように配置されたものであれば、その大きさや材質あるいはその表面形状や外形形状等の具体的な構成については特に限定されるものではない。
【００１３】
上記「所定間隔」の具体的な値は特に限定されるものではないが、カットオフラインの鮮明度を高める観点からは、できるだけ小さい値に設定することが好ましい。
【００１４】
上記「遮光膜」は、その上端縁が投影レンズの後側焦点を通るように形成されたものであれば、その具体的な構成は特に限定されるものではなく、透光カバーの外表面または内表面に塗装や蒸着等の表面処理により形成されたものであってもよいし、透光カバー自体を部分的に不透明な構成とすることにより形成されたものであってもよい。
【発明の効果】
【００１５】
上記構成に示すように、本願発明に係る車両用照明灯具は、灯具前後方向に延びる光軸上に投影レンズが配置されるとともに、この投影レンズの後方側に発光素子が配置されているが、この発光素子は、光軸上における投影レンズの後側焦点の後方近傍に配置された発光チップと、この発光チップを該発光チップと所定間隔をおいて前方側から覆う透光カバーと、この透光カバーの下部領域に形成された遮光膜とを備えており、その際、透光カバーは、投影レンズの後側焦点において光軸と交差するように配置されており、また、遮光膜は、その上端縁が投影レンズの後側焦点を通るように形成されているので、次のような作用効果を得ることができる。
【００１６】
すなわち、発光素子からの光を投影レンズを介して前方へ照射することにより、その後側焦点面上に形成される光源像（具体的には発光チップの像）の反転投影像としての配光パターンを形成することができ、その際、透光カバーに形成された遮光膜の上端縁の反転投影像としてのカットオフラインも形成することができる。
【００１７】
しかも、発光素子の構成として、従来のように発光チップが略半球状の封止樹脂部材によって封止された構成ではなく、発光チップが透光カバーによって該発光チップと所定間隔をおいて前方側から覆われた構成となっているので、投影レンズの後側焦点面上に形成される光源像が拡大されてしまうのを未然に防止することができ、これにより鮮明なカットオフラインを有する配光パターンを形成することができる。
【００１８】
このように本願発明によれば、発光素子を光源とする車両用照明灯具において、鮮明なカットオフラインを有する配光パターンを形成することができる。
【００１９】
しかも本願発明においては、従来のシェードとしての機能を果たす遮光膜が、発光素子の一部として構成されているので、従来のように発光素子とは別部材でシェードを設ける必要をなくすことができる。
【００２０】
上記構成において、透光カバーとして、投影レンズの後側焦点において光軸と略直交する平面部を有する構成とすれば、遮光膜の形成を比較的容易に行うことができる。またこれにより、遮光膜の上端縁の位置精度を高めることができるので、カットオフラインの形成位置精度も高めることができる。しかも、透光カバーとして上記平面部を有する構成とすることにより、遮光膜を投影レンズの後側焦点面上に略沿って配置することができるので、カットオフラインの鮮明度を一層高めることができる。
【００２１】
上記構成において、発光チップが、その発光中心を光軸よりも上方へ変位させるようにして配置された構成とすれば、発光チップから投影レンズへ向かう光のうち遮光膜によって遮蔽されてしまう光の割合を少なく抑えることができ、これにより配光パターンの形成に有効利用な光束をより多く確保することができる。この場合において、発光中心の光軸からの上方変位量は、遮光膜の上端縁の反転投影像としてのカットオフラインが形成され得る範囲内であれば、その具体的な値は特に限定されるものではない。
【発明を実施するための最良の形態】
【００２２】
以下、図面を用いて、本願発明の実施の形態について説明する。
【００２３】
図１は、本願発明の一実施形態に係る車両用照明灯具１０を示す側面図であり、図２は、その正面図である。
【００２４】
これらの図に示すように、この車両用照明灯具１０は、ヘッドランプの一部として組み込まれた状態で用いられる灯具ユニットであって、発光素子１２と投影レンズ１４とを備えてなっている。その際、投影レンズ１４は、ブラケット１６に支持された状態で、灯具前後方向に延びる光軸Ａｘ上に配置されており、発光素子１２は、支持プレート１８を介してブラケット１６に支持された状態で、投影レンズ１４の後方側に配置されている。
【００２５】
この車両用照明灯具１０は、ヘッドランプに組み込まれた状態では、その光軸Ａｘが車両前後方向に対して０．５〜０．６°程度下向きの方向に延びた状態で配置されるようになっている。
【００２６】
ブラケット１６は、側面視において略Ｊ字状に形成されている。そして、このブラケット１６の前端部には、投影レンズ１４を支持するとともに開口絞りを構成する円環状のレンズ支持部１６ａが形成されており、また、その後端部には、支持プレート１８を位置決め支持するプレート支持部１６ｂが形成されている。
【００２７】
投影レンズ１４は、前方側表面が凸面で後方側表面が平面の平凸レンズからなり、その後側焦点Ｆを含む焦点面上の像を反転像として灯具前方の仮想鉛直スクリーン上に投影するようになっている。
【００２８】
発光素子１２は、白色発光ダイオードであって、発光チップ２２と、この発光チップ２２を実装するベース部材２４と、発光チップ２２を前方側から覆う透光カバー２６とを備えてなっている。
【００２９】
図３は、発光素子１２およびその周辺部材を詳細に示す斜視図である。
【００３０】
同図にも示すように、この発光素子１２の発光チップ２２は、灯具正面視において０．３〜３ｍｍ四方程度の大きさを有しており、光軸Ａｘ上における投影レンズ１４の後側焦点Ｆの後方近傍（例えば後側焦点Ｆの後方０．５〜３ｍｍ程度の位置）に前向きで配置されている。
【００３１】
ベース部材２４は、灯具正面視において正方形の外形形状を有している。そして、このベース部材２４は、発光チップ２２の発光中心を光軸Ａｘよりも上方へ多少（例えば発光チップ２２の高さ寸法の１／４〜１／３程度）変位させるようにして支持プレート１８に固定されている。
【００３２】
透光カバー２６は、合成樹脂製の透明薄板を略直方体形状に成形することにより構成されており、ベース部材２４に前方側から嵌め込まれた状態で該ベース部材２４に固定されている。この透光カバー２６は、後側焦点Ｆにおいて光軸Ａｘと直交する平面部２６ａを有している。すなわち、この平面部２６ａは、発光チップ２２と所定間隔をおいて配置されるようになっている。具体的には、この平面部２６ａの後面と発光チップ２２の前面との間隔は、０．５〜３ｍｍ程度の値に設定されている。
【００３３】
この透光カバー２６の平面部２６ａには、その下部領域に遮光膜２８が形成されている。この遮光膜２８は、その上端縁２８ａが後側焦点Ｆを通るようにして水平方向に直線状に延びている。この遮光膜２８は、透光カバー２６の外表面に遮光用塗料を塗布形成すること等により形成されている。その際、この遮光用塗料としては、例えば、粘度０．１〜２Ｐａ・ｓに調製されたフィラー入りの水系の塗料等を用いることが可能である。
【００３４】
次に本実施形態の作用効果について説明する。
【００３５】
車両用照明灯具１０において、その発光素子１２の発光チップ２２から投影レンズ１４へ向かう光は、図１において発光チップ２２の発光中心からの出射光の光路で示すように、その一部が遮光膜２８によって遮蔽される。その際、遮光膜２８は、その上端縁２８ａが後側焦点Ｆを通るとともに水平方向に延びるように形成されており、また、発光チップ２２は、その発光中心が光軸Ａｘよりも上方へ多少変位しているので、発光中心からある程度以上下向きに出射した光が遮光膜２８によって遮蔽されることとなる。
【００３６】
図４は、本実施形態に係る車両用照明灯具１０からの照射光の光路を示す側面図であり、図５は、その要部を示す側断面図である。
【００３７】
これらの図においては、発光チップ２２の発光中心からの出射光だけでなく、発光チップ２２の上端縁および下端縁からの出射光についても、その光路を示している。
【００３８】
これらの図に示すように、光軸Ａｘを含む鉛直面内においては、発光チップ２２の各点からの出射光のうち、投影レンズ１４に入射する光は、図中斜線で示す角度範囲内の光となる。
【００３９】
その際、発光チップ２２の各点からの出射光のうち、遮光膜２８の上端縁２８ａを通って投影レンズ１４に入射する光は、該上端縁２８ａが後側焦点Ｆを通るように形成されていることから、光軸Ａｘと平行な光となり、一方、ブラケット１６のレンズ支持部１６ａの内周縁上端において投影レンズ１４に入射する光は、光軸Ａｘに対してやや下向きの光となる。
【００４０】
図６は、車両用照明灯具１０から前方へ照射される光により、車両前方２５ｍの位置に配置された仮想鉛直スクリーン上に形成される配光パターンＰａを透視的に示す図である。
【００４１】
同図に示すように、この配光パターンＰａは、同図において２点鎖線で示すロービーム用配光パターンＰＬの一部として形成されるようになっている。このロービーム用配光パターンＰＬは、車両用照明灯具１０を含むヘッドランプ全体からの照射光により形成される配光パターンである。
【００４２】
このロービーム用配光パターンＰＬは、左配光のロービーム用配光パターンであって、上端部に水平カットオフラインＣＬ１および斜めカットオフラインＣＬ２を有しており、両カットオフラインの交点であるエルボ点Ｅは、車両正面方向の消点であるＨ−Ｖのやや下方（具体的には０．５〜０．６°程度下方）に位置している。そして、このロービーム用配光パターンＰＬには、エルボ点Ｅをやや左寄りに囲むようにしてホットゾーンＨＺが形成されている。
【００４３】
一方、配光パターンＰａは、エルボ点Ｅの下方近傍に形成されるスポット状の配光パターンとなっており、その上端縁に水平方向に延びる水平カットオフラインＣＬ３を有している。この水平カットオフラインＣＬ３は、遮光膜２８の上端縁２８ａの反転投影像として形成されるものである。そして、この配光パターンＰａは、ロービーム用配光パターンＰＬのホットゾーンＨＺの形成に寄与するものとなっている。
【００４４】
この配光パターンＰａは、その水平カットオフラインＣＬ３が水平カットオフラインＣＬ１と略同じ高さに位置するように形成されているが、これは車両用照明灯具１０の光軸Ａｘが車両前後方向に対して０．５〜０．６°程度下向きの方向に延びるように配置されていることによるものである。
【００４５】
なお、この配光パターンＰａにおいて、その輪郭を示す曲線と略同心状に形成された複数の曲線は等光度曲線であって、配光パターンＰａがその外周縁からその中心へ向けて徐々に明るくなることを示している。
【００４６】
以上詳述したように、本実施形態に係る車両用照明灯具１０は、灯具前後方向に延びる光軸Ａｘ上に投影レンズ１４が配置されるとともに、この投影レンズ１４の後方側に発光素子１２が配置されているが、この発光素子１２は、光軸Ａｘ上における投影レンズ１４の後側焦点Ｆの後方近傍に配置された発光チップ２２と、この発光チップ２２を該発光チップ２２と所定間隔をおいて前方側から覆う透光カバー２６と、この透光カバー２６の下部領域に形成された遮光膜２８とを備えており、その際、透光カバー２６は、後側焦点Ｆにおいて光軸Ａｘと交差するように配置されており、また、遮光膜２８は、その上端縁２８ａが後側焦点Ｆを通るとともに水平方向に延びるように形成されているので、次のような作用効果を得ることができる。
【００４７】
すなわち、発光素子１２からの光を投影レンズ１４を介して前方へ照射することにより、その後側焦点面上に形成される光源像（具体的には発光チップ２２の像）の反転投影像としての配光パターンＰａを形成することができ、その際、透光カバー２６に形成された遮光膜２８の上端縁２８ａの反転投影像としての水平カットオフラインＣＬ３も形成することができる。
【００４８】
しかも、発光素子１２の構成として、従来のように発光チップが略半球状の封止樹脂部材によって封止された構成ではなく、発光チップ２２が透光カバー２６によって該発光チップ２２と所定間隔をおいて前方側から覆われた構成となっているので、投影レンズ１４の後側焦点面上に形成される光源像が拡大されてしまうのを未然に防止することができ、これにより鮮明な水平カットオフラインＣＬ３を有する配光パターンＰａを形成することができる。
【００４９】
このように本実施形態によれば、発光素子１２を光源とする車両用照明灯具１０において、鮮明な水平カットオフラインＣＬ３を有する配光パターンＰａを形成することができる。
【００５０】
しかも本実施形態においては、従来のシェードとしての機能を果たす遮光膜２８が発光素子１２の一部として構成されているので、従来のように発光素子とは別部材でシェードを設ける必要をなくすことができる。
【００５１】
その際、本実施形態においては、透光カバー２６として、投影レンズ１４の後側焦点Ｆにおいて光軸Ａｘと直交する平面部２６ａを有する構成となっているので、遮光膜２８の形成を比較的容易に行うことができる。またこれにより、遮光膜２８の上端縁２８ａの位置精度を高めることができるので、カットオフラインＣＬ３の形成位置精度も高めることができる。しかもこのように、透光カバー２６として、投影レンズ１４の後側焦点Ｆにおいて光軸Ａｘと直交する平面部２６ａを有する構成とすることにより、遮光膜２８を投影レンズ１４の後側焦点面上に略沿って配置することができるので、カットオフラインＣＬ３の鮮明度を一層高めることができる。
【００５２】
また本実施形態においては、発光チップ２２が、その発光中心を光軸Ａｘよりも上方へ変位させるようにして配置されているので、発光チップ２２から投影レンズ１４へ向かう光のうち遮光膜２８によって遮蔽されてしまう光の割合を少なく抑えることができ、これにより配光パターンＰａの形成に有効利用な光束をより多く確保することができる。
【００５３】
上記実施形態においては、透光カバー２６の平面部２６ａの後面と発光チップ２２の前面との間隔が、０．５〜３ｍｍ程度の値に設定されているものとして説明したが、カットオフラインＣＬ３の鮮明度をより一層高める観点からは、遮光膜２８を発光チップ２２に対してできるだけ近接した位置に配置することが好ましい。具体的には、上記間隔として、これを０．５〜２ｍｍ程度の値に設定することが好ましく、これを０．５〜１ｍｍ程度の値に設定することがより好ましい。
【００５４】
上記実施形態においては、発光素子１２の発光チップ２２が、０．３〜３ｍｍ四方程度の大きさの正方形に形成されているものとして説明したが、これ以外の外形形状（例えば横長の矩形形状等）に形成されたものを用いることも可能であり、これにより発光チップ２２の大きさや形状に応じて配光パターンＰａとは異なる大きさや形状の配光パターンを形成することが可能となる。
【００５５】
上記実施形態においては、透光カバー２６がベース部材２４に前方側から嵌め込まれた状態で該ベース部材２４に固定されているものとして説明したが、これ以外の固定構造を採用することも可能である。また、その際、透光カバー２６とベース部材２４で形成される空間を密閉空間として構成し、この密閉空間内に窒素等が充填された構成とすることも可能である。
【００５６】
上記実施形態においては、単一の車両用照明灯具１０がヘッドランプの一部として組み込まれる場合について説明したが、複数の車両用照明灯具１０がヘッドランプの一部として組み込まれるようにすることも可能である。その際、各車両用照明灯具１０の光軸Ａｘを左右方向に多少ずらすようにすれば、複数の配光パターンＰａを互いに部分的に重複させるようにして形成することができる。
【００５７】
次に、上記実施形態の変形例について説明する。
【００５８】
まず、上記実施形態の第１変形例について説明する。
【００５９】
図７は、本変形例に係る車両用照明灯具１１０を示す正面図である。
【００６０】
同図に示すように、この車両用照明灯具１１０は、その発光素子１１２の構成が上記実施形態の発光素子１２と異なっているが、それ以外の構成は上記実施形態の場合と全く同様である。
【００６１】
本変形例の発光素子１１２は、その遮光膜１２８の上端縁１２８ａの形状が上記実施形態の発光素子１２と異なっている。
【００６２】
すなわち、この遮光膜１２８の上端縁１２８ａは、後側焦点Ｆを通るようにして水平方向に対して所定角度左上がりに傾斜した方向（灯具正面視では右上がりに傾斜した方向）に直線状に延びている。なお、この発光素子１１２におけるこれ以外の構成は、上記実施形態の場合と全く同様である。
【００６３】
図８は、本変形例に係る車両用照明灯具１１０から前方へ照射される光により、車両前方２５ｍの位置に配置された仮想鉛直スクリーン上に形成される配光パターンＰｂを透視的に示す図である。
【００６４】
同図に示すように、この配光パターンＰｂも、同図において２点鎖線で示すロービーム用配光パターンＰＬの一部として、そのエルボ点Ｅの下方近傍に形成されるスポット状の配光パターンとなっているが、その上端縁には水平方向に対して所定角度左上がりに傾斜した方向に延びる斜めカットオフラインＣＬ４を有している。この斜めカットオフラインＣＬ４は、遮光膜１２８の上端縁１２８ａの反転投影像として形成されるものである。そして、この配光パターンＰｂは、ロービーム用配光パターンＰＬのホットゾーンＨＺの形成に寄与するものとなっている。
【００６５】
この配光パターンＰｂは、その斜めカットオフラインＣＬ４が斜めカットオフラインＣＬ２と略同じ高さに位置するように形成されているが、これは車両用照明灯具１１０の光軸Ａｘが車両前後方向に対して０．５〜０．６°程度下向きの方向に延びるように配置されていることによるものである。
【００６６】
なお、この配光パターンＰｂにおいて、その輪郭を示す曲線と略同心状に形成された複数の曲線は等光度曲線であって、配光パターンＰｂがその外周縁からその中心へ向けて徐々に明るくなることを示している。
【００６７】
本変形例の構成を採用することにより、遮光膜２８の上端縁２８ａの反転投影像としての鮮明な斜めカットオフラインＣＬ４を有する配光パターンＰｂを形成することができる。
【００６８】
なお、本変形例に係る車両用照明灯具１１０を上記実施形態に係る車両用照明灯具１０と共にヘッドランプの一部として組み込んで用いるようにすれば、鮮明な水平カットオフラインＣＬ３を有する配光パターンＰａと鮮明な斜めカットオフラインＣＬ４を有する配光パターンＰｂとを同時に形成することができ、これによりロービーム用配光パターンＰＬのホットゾーンＨＺを形成することが一層容易となる。
【００６９】
次に、上記実施形態の第２変形例について説明する。
【００７０】
図９（ａ）は、本変形例に係る車両用照明灯具２１０を示す正面図である。
【００７１】
同図に示すように、この車両用照明灯具２１０は、その発光素子２１２の構成が上記実施形態の発光素子１２と異なっているが、それ以外の構成は上記実施形態の場合と全く同様である。
【００７２】
本変形例の発光素子２１２は、その遮光膜２２８の上端縁２２８ａの形状が上記実施形態の発光素子１２と異なっている。
【００７３】
すなわち、この遮光膜２２８の上端縁２２８ａは、後側焦点Ｆを通るようにして延びているが、その際、後側焦点Ｆよりも左側の部分は水平方向に直線状に延びており、後側焦点Ｆよりも右側の部分は水平方向に対して所定角度右下がりに傾斜した方向に直線状に延びている。なお、この発光素子２１２におけるこれ以外の構成は、上記実施形態の場合と全く同様である。
【００７４】
本変形例を採用することにより、遮光膜２２８の上端縁２２８ａの反転投影像としての鮮明な水平および斜めカットオフラインを有する配光パターンを形成することができる。
【００７５】
次に、上記実施形態の第３変形例について説明する。
【００７６】
図９（ｂ）は、本変形例に係る車両用照明灯具３１０を示す正面図である。
【００７７】
同図に示すように、この車両用照明灯具３１０は、その発光素子３１２の構成が上記実施形態の発光素子１２と異なっているが、それ以外の構成は上記実施形態の場合と全く同様である。
【００７８】
本変形例の発光素子３１２は、そのベース部材３２４および透光カバー３２６の正面形状が円形に設定されている点で、上記実施形態の発光素子１２と異なっている。なお、透光カバー３２６が平面部３２６ａが、後側焦点Ｆにおいて光軸Ａｘと直交するようにして発光チップ２２と所定間隔をおいて配置されている点については、上記実施形態の場合と同様であり、また、遮光膜３２８の上端縁３２８ａの位置および形状ならびに発光素子３１２のそれ以外の構成についても、上記実施形態の場合と同様である。
【００７９】
本変形例を採用した場合においても、上記実施形態の場合と同様、遮光膜３２８の上端縁３２８ａの反転投影像としての鮮明な水平カットオフラインを有する配光パターンを形成することができる。
【００８０】
また本変形例を採用した場合には、透光カバー３２６を図示の状態から所定角度回転させた状態でベース部材３２４に取り付けることにより、遮光膜３２８の上端縁３２８ａの反転投影像としての鮮明な斜めカットオフラインを有する配光パターンを形成することができる。そしてこれにより透光カバー３２６の共用化を図ることができる。
【図面の簡単な説明】
【００８１】
【図１】本願発明の一実施形態に係る車両用照明灯具を示す側面図
【図２】上記車両用照明灯具を示す正面図
【図３】上記車両用照明灯具の発光素子およびその周辺部材を詳細に示す斜視図
【図４】上記車両用照明灯具からの照射光の光路を示す側面図
【図５】上記車両用照明灯具からの照射光の光路の要部を示す側断面図
【図６】上記車両用照明灯具から前方へ照射される光により、車両前方２５ｍの位置に配置された仮想鉛直スクリーン上に形成される配光パターンを透視的に示す図
【図７】上記実施形態の第１変形例に係る車両用照明灯具を示す正面図
【図８】上記第１変形例に係る車両用照明灯具から前方へ照射される光により、上記仮想鉛直スクリーン上に形成される配光パターンを透視的に示す図
【図９】上記実施形態の第２変形例に係る車両用照明灯具を示す正面図（ａ）および上記実施形態の第３変形例に係る車両用照明灯具を示す正面図（ｂ）
【符号の説明】
【００８２】
１０、１１０、２１０、３１０  車両用照明灯具
１２、１１２、２１２、３１２  発光素子
１４  投影レンズ
１６  ブラケット
１６ａ  レンズ支持部
１６ｂ  プレート支持部
１８  支持プレート
２２  発光チップ
２４、３２４  ベース部材
２６、３２６  透光カバー
２６ａ、３２６ａ  平面部
２８、１２８、２２８、３２８  遮光膜
２８ａ、１２８ａ、２２８ａ、３２８ａ  上端縁
Ａｘ  光軸
ＣＬ１、ＣＬ３  水平カットオフライン
ＣＬ２、ＣＬ４  斜めカットオフライン
Ｅ  エルボ点
Ｆ  後側焦点
ＨＺ  ホットゾーン
ＰＬ  ロービーム用配光パターン
Ｐａ、Ｐｂ  配光パターン
【図１】
2006127819.tif 000003
【図２】
2006127819.tif 000004
【図３】
2006127819.tif 000005
【図４】
2006127819.tif 000006
【図５】
2006127819.tif 000007
【図６】
2006127819.tif 000008
【図７】
2006127819.tif 000009
【図８】
2006127819.tif 000010
【図９】
2006127819.tif 000011